(57)【特許請求の範囲】
【請求項１】
第１部材１と第２部材２とを具有し、第１部材１と第２部材２の少なくとも一方の部材にベルト取付部１０を設け、第１部材１と第２部材２のいずれか一方に本体９より突出する回転軸４０を設け、他方に回転軸４０を収容する収容部１３を本体８に設け、各々が回動可能に連結したベルト連結具において、第１部材１と第２部材２とは首部４１と該首部４１の先端に形成した膨大頭部４２を有する回転軸４０で連結し、回転軸４０が収容部１３から抜脱不能に一体成形し、第１部材１と第２部材２が回転軸４０の軸線方向への相対的な移動を規制する抑止部材３４を回転軸４０に配備してなることを特徴とするベルト連結具。
【請求項２】
抑止部材３４は、膨大頭部４２の下面と、該下面と対面する収容部１３の内面との間に配してなる請求項１記載のベルト連結具。
【請求項３】
抑止部材３４は、一部にスリット３６を備えた軸受部３５に形成してなる請求項１記載のベルト連結具。
【請求項４】
抑止部材３４は回り止め突起３７を備え、回り止め突起３７は収容部１３に設けた溝部１５に嵌合可能に形成してなる請求項２記載のベルト連結具。
【請求項５】
収容部１３に配され、かつ露呈する回転軸４０を隠蔽するカバー部材２６を、収容部１３に嵌着してなる請求項１または２記載のベルト連結具。
【請求項６】
収容部１３は、一方の本体８の表裏に開口する開口部１４を設け、該開口部１４を一対のカバー部材２６によって封鎖してなる請求項５記載のベルト連結具。
【請求項７】
抑止部材３４とカバー部材２６とは一体成形で連結してなる請求項３、４または５記載のベルト連結具。
【請求項８】
抑止部材３４は、先端が半円形を呈する軸受部３５に形成してなる請求項７記載のベルト連結具。
【請求項９】
一対のカバー部材２６は、同一形状に形成してなる請求項６記載のベルト連結具。
【請求項１０】
ベルト取付部１０はベルト取付孔１１を有し、収容部１３はベルト取付孔１１と連通する凹部１７を設け、凹部１７に嵌入可能なカバー部材２６を備え、カバー部材２６の内部に収容部１３において露呈する回転軸４０を収容してなる請求項５記載のベルト連結具。
【発明の詳細な説明】
【０００１】
【発明の属する技術分野】
この発明は、乳幼児の子守帯などに用いるベルト用のバックル、またはベルト用の調節具あるいはなす環などの止具であって、止具の一端にベルトを取り付けて用いるベルト連結具に関するものである。
【０００２】
【従来の技術】
従来、図１８に示すように乳幼児の子守用帯に用いられるバックルが知られている。このバックルはベルト連結部材と雌雄結合部材とを自由に回動できるように回動機構を配設し、回動による子守用帯に捻れが惹起しないバックルが、特開２０００−８３７０９号公報に開示されている。
【０００３】
また、図１９に示すように、ベルト取付部材を備えたベルト連結具において、ベルト取付部材と係止部材との連結を強固にするため、ベルト取付部材と係止部材とを合成樹脂を用いて一体成形したベルト連結具が特開平７−２０８４４０号公報に開示されている。
【０００４】
【発明が解決しようとする課題】
従来、乳幼児の子守用帯に用いられるバックルは、大人が乳幼児を縦抱き、または横抱きするとき、最初に乳幼児を子守用帯の上に載せてから、子守用帯とともに乳幼児を抱き上げ、バックルを連結して子守用帯を体に装着する。そのとき、子守用帯が捻れていると体に違和感を感じ、乳幼児を抱きながら再度バックルを連結しなおすことはきわめて面倒である。従って子守用帯に捻れ現象が生じても容易に捻れを解消できるようにすることが望まれる。
【０００５】
そこで捻れを解消できるバックルとして、前項で述べた図１８に示すバックルがある。しかしこのバックルは、ベルト連結部材と雌雄結合部材とを連結するが、その手段は、雌部材に突設した回転軸にベルト連結部材の軸受部を嵌挿し、突出した回転軸の溝部にＣ形止輪を圧入して連結部材と結合部材とを連結する。しかるにＣ形止輪はベルトに強い引張力が働くと破損する恐れがあり、破損するとベルト連結部材は結合部材の回転軸から抜脱して機能を喪失するなど問題点がある。
【０００６】
また、図１９に示すベルト連結具は、ベルト取付部材と係止部材とを一体射出成形手段で成形しているので、破損し難い利点がある。しかるにベルト取付部材と係止部材とを一体射出成形するため、金型構造によって、ベルト取付部材と係止部材との間に間隙ができ、ベルト連結具にがたつきが生じ易いなど問題点がある。
【０００７】
この発明は、上述の問題点を考慮して発明されたものであり、この発明のうち請求項１記載の発明は、各種止具としてのベルト連結具における第１部材と第２部材とを回動可能に一体成形することによって生ずる第１部材と第２部材との間に生ずる間隙に抑止部材を嵌入することによって、間隙を封鎖してがたつきを無くし、円滑な回動動作ができ品質のよいベルト連結具を提供することが主たる目的である。
【０００８】
請求項２記載の発明は、請求項１記載の発明の目的に加え、間隙を封鎖できる抑止部材を第１部材と第２部材の間隙を最も効果的に封鎖できる形態に配置できるベルト連結具を提供することが目的である。
【０００９】
請求項３記載の発明は、請求項１記載の発明の目的に加え、抑止部材を収容部に存在する回転軸を有効かつ的確に支持できるベルト連結具を提供することが目的である。
【００１０】
請求項４記載の発明は、請求項２記載の発明の目的に加え、抑止部材を第１部材または第２部材に設けた収容部に有効的に配置できるベルト連結具を提供することが目的である。
【００１１】
請求項５記載の発明は、請求項１または２記載の発明の目的に加え、収容部から露呈する回転軸を体裁よくカバー部材で隠蔽できるベルト連結具を提供することが目的である。
【００１２】
請求項６記載の発明は、請求項５記載の発明の目的に加え、回転軸を隠蔽するカバー部材を、最も適切な形態で設置できるベルト連結具を提供することが目的である。
【００１３】
請求項７記載の発明は、請求項３、４または５記載の発明の目的に加え、第１部材と第２部材との間隙を封鎖できる抑止部材と、収容部を隠蔽するカバー部材とを一体に設けて、組立効率の向上と製造コストの低減を図ったベルト連結具を提供することが目的である。
【００１４】
請求項８記載の発明は、請求項７記載の発明の目的に加え、抑止部材を収容部に存在する回転軸を前後から有効かつ的確に支持できるベルト連結具を提供することが目的である。
【００１５】
請求項９記載の発明は、請求項６記載の発明の目的に加え、収容部を隠蔽する一対のカバー部材を同一形態に成形することによって、カバー部材の組立作業および在庫管理が容易にできるベルト連結具を提供することが目的である。
【００１６】
請求項１０記載の発明は、請求項５記載の発明の目的に加え、ベルト取付孔と収容部とを連通して凹部を形成したタイプの連結具において、回転軸を的確かつ容易にカバー部材によって隠蔽できるベルト連結具を提供することが目的である。
【００１７】
【課題を解決するための手段】
前項の目的を達成するため、この発明のうち請求項１記載の発明は、ベルト連結具が第１部材１と第２部材２とから形成され、第１部材１と第２部材２の少なくとも一方の部材にベルト取付部１０を設け、第１部材１と第２部材２のいずれか一方の部材に本体９より突出する回転軸４０を設け、他方の部材に回転軸４０を収容することができる収容部１３を本体８に設け、第１部材１と第２部材２が回動できるように連結したベルト連結具において、第１部材１と第２部材２は回転軸４０が収容部１３から抜脱できないように合成樹脂を用いて一体成形し、第１部材１と第２部材２とが回転軸４０の軸線方向への相対的な移動を規制することができる抑止部材３４を回転軸４０に配備したベルト連結具を主な構成とするものである。
【００１８】
請求項２記載の発明は、請求項１記載の発明の構成に加え、各部材の移動を規制する抑止部材３４は、回転軸４０の膨大頭部４２の下面と、この下面と対面する収容部１３の内面すなわち下面２３との間に配したベルト連結具である。
【００１９】
請求項３記載の発明は、請求項１記載の発明の構成に加え、各部材の移動を規制する抑止部材３４は、一部にスリット３６を備えた軸受部３５に形成し、回転軸を嵌着して支持するベルト連結具である。
【００２０】
請求項４記載の発明は、請求項２記載の発明の構成に加え、各部材の移動を規制する抑止部材３４は、抑止部材３４自体が回転軸４０に対して回動するのを防止できる回り止め突起３７を備え、この回り止め突起３７は収容部１３に設けた凹状の溝部１５に嵌合できるように形成したベルト連結具である。
【００２１】
請求項５記載の発明は、請求項１または２記載の発明の構成に加え、回転軸４０を収容する収容部１３に対し、収容された回転軸４０が露呈するのを隠蔽するため、カバー部材２６を収容部１３に嵌着したベルト連結具である。
【００２２】
請求項６記載の発明は、請求項５記載の発明の構成に加え、回転軸４０を収容する収容部１３は、一方の部材における本体８の表裏へ開口する開口部１４を設け、この開口部１４を一対のカバー部材２６によって封鎖したベルト連結具である。
【００２３】
請求項７記載の発明は、請求項３、４または５記載の発明の構成に加え、各部材の移動を規制する抑止部材３４と、開口部１４を封鎖するカバー部材２６とを一体成形で連結したベルト連結具である。
【００２４】
請求項８記載の発明は、請求項７記載の発明の構成に加え、各部材の移動を規制する抑止部材３４は、先端が半円形を呈する軸受部３５に形成し、回転軸を前後から挟持するベルト連結具である。
【００２５】
請求項９記載の発明は、請求項６記載の発明の構成に加え、開口部１４を封鎖する一対のカバー部材２６は、同一形状に形成したベルト連結具である。
【００２６】
請求項１０記載の発明は、請求項５記載の発明の構成に加え、一方の部材に設けたベルト取付部１０はベルト取付孔１１から形成し、回転軸４０を収容する収容部１３はベルト取付孔１１と連通する凹部１７を設け、この凹部１７にカバー部材２６を嵌着し、カバー部材２６の内部に収容部１３において収容され露呈する回転軸４０を収容したベルト連結具である。
【００２７】
【発明の実施の形態】
以下、この発明のベルト連結具の実施の形態について、図面を参照しながら具体的に説明する。
【００２８】
この発明のベルト連結具は、雌雄形バックル５、なす環６、ベルト調節具７などの止具に関し、図１〜６は雌雄形バックル５についての第１実施例のベルト連結具である。このベルト連結具は、図１に示すようにベルトＢを取り付けるためのベルト取付部１０を備えた第１部材１としての扁平状の本体８と、差込脚部５０を備えた雄体の第３部材３を差し込むことができる第２部材２としての雌体と、ベルト係止部５４を備え、第２部材２と係脱自在な第３部材３とから構成され、第１部材１の本体８には第２部材２の回転軸４０を収容できる表裏に開口する開口部１４を備えた収容空間部１９からなる収容部１３を形成し、この収容部１３は下面中央に透孔１８を設けて、第２部材２の本体９に突設した回転軸４０を挿通する。収容部１３の表裏に設けた開口部１４は逆凸字形を呈し、また収容部１３の下面の中央に凹状の溝部１５を前後に貫通させる。さらに収容部１３の両側壁２０には開口部１４を封鎖するためのカバー部材２６の係止片２７を係止できる係止突部１６を上下にそご状に配設する。
【００２９】
開口部１４を封鎖するカバー部材２６は、図４に示すように板状体で逆凸字形を呈し、中央の下方へ突出する嵌合突部２９を設けて収容部１３の溝部１５に嵌着できるように形成し、この嵌合突部２９における上辺に内方へ突出し先端が半円形を呈する軸受部３５を設けて抑止部材３４を形成し、カバー部材２６と抑止部材３４は一体に成形し、カバー部材２６を表裏の開口部１４に嵌め込むと軸受部３５が回転軸４０に対し前後から当接する。カバー部材２６における内面の左右に係止片２７を上下にそご状に突設し、この係止片２７の先端には外方へ向かってフック状に突出する係止爪２８を設けて前記係止突部１６と係止できるように形成する。
【００３０】
本体８の収容部１３の上方には、ベルトＢを取り付けるための長孔状のベルト取付孔１１を穿設し、ベルト取付孔１１の外側にベルト取付杆１２を設けてベルト取付部１０を形成し、嵌着するベルトＢの端部をベルト取付孔１１に挿通した後、ベルト取付杆１２を捲回してベルトＢの端部を縫い付けるかして固定する。
【００３１】
一方、第２部材２としての雌体の本体９は、扁平な筒状体の本体９であり、基部４３の上面の中央に円柱状の首部４１からなる回転軸４０を突設し、この首部４１の先端に膨大状の膨大頭部４２を設け、この膨大頭部４２によって第１部材１と第２部材２とは抜脱することができない。また本体９における回転軸４０を突設した基部４３を表面方向へやや突出し肉厚状の厚肉部４４を形成し、雄体の差し込み側へ向けて漸次減少する三角形状に回転軸４０の据え付け部分を補強する。
【００３２】
第１部材１と第２部材２は、たとえばポリアセタール、ポリアミド、ポリプロピレン、ポリブチレンテレフタレートなどの熱可塑製樹脂を用いて射出成形手段によって一体成形する。この射出成形の際、収容部１３の開口部１４に表裏からコアを挿入し、かつ収容部１３の下辺に存在する横杆２４の下面に左右へ延びる凹溝２２を設けて、両側からコアを挿入することによって、首部４１と膨大頭部４２とからなる回転軸４０を成形し、首部４１の先端に成形した膨大頭部４２により、第１部材１と第２部材２の抜脱を防止する。
【００３３】
なお、第２部材２の雌体と第３部材３の雄体の形態は従来知られた係脱機構を具備した雌雄形バックル５であればよい。たとえば図１、２に示すように雌体は両側に弾性を備えた押圧片５２を設け、雌体の内部に押圧片５２と対向する係止部５３を設ける。また第３部材３の雄体の一方にはベルトＢを挿通し係止してベルトＢの長さ調節ができるベルト係止部５４が設けられ、他方には雌体に挿入できる差込脚部５０を突設し、差込脚部５０の先端の外側にフック状の係合突部５１を設けて、係止部５３と係合できる形態である。例示した形態以外の係脱機構を備えた雌雄形バックルであってもよい。
【００３４】
さて、第１部材と第２部材２は射出一体成形され、第１部材１が第２部材２に突設した回転軸４０に嵌合した状態で結合しているが、両部材１、２を射出成形したとき、挿入したコアの厚みにより、両部材１、２間に間隙ができ、がたつき現象が発生する。このがたつきをなくすため、第１部材１が回転軸４０に対し上下に移動するのを防ぐべく、図３に示すようにカバー部材２６に一体に設けた抑止部材３４としての軸受部３５を回転軸４０に設けた膨大頭部４２と、収容部１３における溝部１５の両側の下面２３との間に嵌め込む。そのため図５、６に示すようにカバー部材２６を第１部材１の本体８に設けた収容部１３の表裏から開口部１４に嵌入し、係止片２７の係止爪２８を収容部１３の側壁に設けた係止突部１６に係止し固定することによって、第１部材１が回転軸４０に対し上下に移動するのを抑制するとともに、回転軸４０を隠蔽し体裁のよいベルト連結具に仕上げることができる。
【００３５】
図７〜１０に示す第２実施例のベルト連結具は、カバー部材２６と抑止部材３４とを別体に形成した以外は前例と同一形態であり、抑止部材３４は、図７に示すようにリング状の一部にスリット３６を設けてＣ字形の軸受部３５に形成して回転軸４０に嵌入できる形にする。またスリット３６の反対側に下方へ延びる回り止め突起３７を突設し、収容部１３に凹設した溝部１５に嵌着できるように形成して抑止部材３４に仕上げる。
【００３６】
一方、カバー部材２６は図８に示すように、逆凸字形の平板の両側に係止片２７を上下にそご状に突設し、係止片２７の先端に外向の係止爪２８を設け、収容部１３の側壁２０に設けた係止突部１６と係合できる形に形成してカバー部材２６に仕上げる。
【００３７】
抑止部材３４とカバー部材２６の第１部材の本体８への装着は、図９に示すように、まず抑止部材３４のＣ字形の軸受部３５を回転軸４０の膨大頭部４２と収容部１３における溝部１５の両側の下面２３との間に一方から弾性変形させながら嵌入すると同時に、回り止め突起３７を溝部１５に嵌め込んで抑止部材３４が回動できない形に設置する。次にカバー部材２６を抑止部材３４の外側へ配するため、収容部１３における表裏の開口部１４へ、図１０に示すように嵌め込み固定して回転軸４０を隠蔽してベルト連結具を仕上げる。
【００３８】
図１１〜１４に示す第３実施例のベルト連結具は、抑止部材３４とカバー部材２６の設置形態が前例とは異なる。図１４に示すように、第１部材１のベルト取付部１０の本体８は、ベルト取付孔１１から内方すなわち回転軸４０方向へ向けて表裏へ貫通する形で凹部１７を連設し、また本体８の下辺は第２部材２の本体９へ向けて緩やかに隆出させ、この隆出部分に回転軸４０を成形するためのコア用孔部１９を設ける。射出成形加工のコアは、本体８の表裏に貫通した凹部１７と下部の回転軸４０の周囲に存在する空隙部２５に対し、表裏からコアを挿入して回転軸４０の首部４１の一部と膨大頭部４２を成形し、かつ隆出部分のコア用孔部１９に対し左右からコアを配して回転軸４０の首部４１の一部を成形する。
【００３９】
回転軸４０に装着する抑止部材３４は、図１１に示すようにリング状の一部にスリット３６を設けてＣ字形の軸受部３５を形成する。一方凹部１７を被覆するカバー部材２６は、図１２、１３に示すようにベルト取付部１０の取付孔１１の下縁に合致する上面板３１の前後に、本体８の表裏から凹部１７を被覆する被覆片３２を垂設し、上面板３１の左右両側にコア用孔部１９に掛止できる先端に係止爪２８を有する係止片２７を下方へ向けて突設する。なお係止片２７と被覆片３２との間には間隙を設けて係止片２７が容易に弾性変形できるように形成する。
【００４０】
第１部材１と第２部材２は一体射出成形された後、まず回転軸４０の膨大頭部４２と収容部１３における凹部１７の下面２３との間に抑止部材３４としての軸受部３５をスリットから回転軸４０へ嵌入して固定し、次に凹部１７の上側からカバー部材２６を被覆し押圧して係止片２７の係止爪２８をコア用孔部１９に掛止してベルト連結具を完成させる。
【００４１】
図１５に示す第４実施例のベルト連結具は、なす環に適用した事例である。なす環６はベルト取付部１０に本体８を回動自在に軸支した第１部材１と、フック体４８から形成した第２部材２から構成し、ベルト取付部１０はベルト取付孔１１およびベルト取付杆１２を有し、ベルト取付部１０の両側に本体８の枢軸４６を軸支できる脚部４５を突設し、本体８は両側に枢軸４６を突設して脚部４５の軸孔に軸支する。本体８は横断面が円形で枢軸４６と直交する方向へ貫通する開口部１４を設けて収容部１３を形成し、この収容部１３の下方中央に回転軸４０の首部４１の径よりやや大きい凹状の溝部１５を設け、また本体８の下側に溝部１５と直交する回転軸４０の首部４１の径よりやや大きい凹状のコア用の凹溝２２を設ける。
【００４２】
なす環６のフック体４８は、ベルト取付部１０側に円板状の基板４７を設け、この基板４７の上側中央に回転軸４０を突設して本体８に装着する。このなす環６はベルト取付部１０と本体８の枢軸４６、および本体８の収容部１３とフック体４８とをそれぞれ一体成形によって形成する。成形の際、本体８の収容部１３と溝部２２にコアを前後に配して回転軸４０の膨大頭部４２と首部４１の一部を成形し、また枢軸４６と脚部４５とに両サイドからコアを配し枢軸４６を枢支した状態で成形し、かつ本体８の下方に設けたコア用の凹溝２２に両サイドからコアを配して回転軸４０の首部４１の一部を成形する。
【００４３】
成形された本体８の収容部１３内に介在する回転軸４０は上下方向へ移動することができ、従ってがたつき現象が生ずる。そこで収容部１３内に収容された回転軸４０の膨大頭部４２と、収容部１３における溝部１５の両側の下面２３との間に、図１１に示す形のＣ字形の軸受部３５を備えた抑止部材３４を配して首部４１に嵌入し、その外側の開口部１４に表面が湾曲したカバー部材２６を嵌装することによって、第１部材１と第２部材２の間に生ずるがたつきを防止する。
【００４４】
図１６に示す第５実施例のベルト連結具は、ベルト調節具に適用した事例である。ベルト調節具７は第１部材１、第２部材２ともにベルト調節機構を備えており、第１部材１は全体が分厚い扁平体、少なくとも回転軸４０の膨大頭部４２の大きさに相当する厚みで形成し、中央にベルト挿通孔５９を設け、ベルト挿通孔５９に隣接してベルトを引掛ける引掛杆５８を設け、引掛杆５８と対向してベルトを係止する係止杆５６を一端に設けた係止杆５５を設け、係止杆５５と引掛杆５８との間にベルトが挿通できる係止孔５７を設けて、ベルトの長さ調節ができる形に形成する。ベルト挿通孔５９から下端側にかけて収容部１３を設けるとともに、収容部１３の下方端に凹状の溝部１５を設け、この溝部１５の下側に存在する横杆２４にコア用の凹溝２２を設け、第１部材１と第２部材２を一体成形する際、収容部１３と溝部１５に表裏からコアを挿入して回転軸４０の膨大頭部４２と首部４１の一部、また横杆２４のコア用の凹溝２２に両サイドからコアを配して回転軸４０の首部４１の一部を成形して回転軸４０および膨大頭部４２を成形する。
【００４５】
一方、第２部材２は、全体が分厚い扁平体から形成し、一端に基杆２１を設け、この基杆２１に隣接してベルト挿通孔５９を設け、挿通孔５９に隣接してベルトを引掛ける引掛杆５８を設け、引掛杆５８と対向してベルトを係止する係止部５６を一側に設けた係止杆５５を設け、ベルトの長さ調節ができる形に形成する。基杆２１の頂面中央には第１部材１と連結する回転軸４０を突設する。
【００４６】
第１部材１と第２部材２とを一体成形したベルト調節具７は、第１部材１に設けた収容部１３に存在する回転軸４０の膨大頭部４２と収容部１３の下面２３との間に抑止部材３４としてのＣ字形の軸受部３５を備えた抑止部材３４を回転軸４０の首部４１に嵌着して第１部材と第２部材２との間におけるがたつきを抑制する。
【００４７】
ベルト調節具７にベルトを装着するには、第１部材１に対しては、ベルトの一端を係止杆５５の背面を通してベルト挿通孔５９へ挿通し、ベルト引掛杆５８を捲回して係止孔５７を誘導して係止部５６で屈曲させ、先に挿通したベルトを重ね合わせて係止杆５５の背面から表面へ引出し、適度に引っ張って長さ調節して係止杆５５の係止部５６で係止して固定する。さらにベルトの先端は物品を捲回して第２部材２の係止杆５５の背面からベルト挿通孔５９へ挿通し、ベルト引掛杆５８を捲回して係止孔５７へ誘導して係止孔５６で屈曲させ、先に配したベルトと重ね合わせて係止杆５５の背面から表面へ引出し、適度に引っ張って長さ調節して係止杆５５の係止部５６で係止して固定する。
【００４８】
なお、例示した実施例では、第１部材１、第２部材２ともにベルトの長さ調節機構を備えたベルト調節具７であるが、第１部材、第２部材のいずれか一方のベルト挿通機構を単純化し、たとえば部材の中央にベルト挿通孔を設け、挿通孔の外側にベルトを取り付けるための取付杆を設け、この取付杆にベルトの一端を捲回して縫着あるいは鋲着などの手段によって固定し、ベルトの他端を他の部材に設けたベルト調節機構に挿通してもよい。
【００４９】
図１７に示す第６実施例のベルト連結具は、前例と同様のベルト調節具に適用した事例である。基本的には前例のベルト調節具と同一構成であり、異なる構成は第１部材１に形成した収容部１３内に存在する回転軸４０の膨大頭部４２と溝部１５の両側の下面２３との間に抑止部材３４としての軸受部３５を配設せずに、抑止部材３４の軸受部３５は、第１部材１と、第２部材２との間に介在する回転軸４０の首部４１にＣ字形の軸受部３５を備えた抑止部材３４を嵌入して、第１部材１と第２部材２との間のがたつきをなくす構成であり、これ以外の構成は前例のベルト調節具と同一であるので説明を省略する。
【００５０】
【発明の効果】
この発明のベルト連結具は、以上説明したとおりの構成であり、この構成によって下記の効果を奏する。
この発明のうち請求項１記載の発明は、第１部材と第２部材とを備え、第１部材と第２部材の少なくとも一方にベルト取付部を設け、第１部材と第２部材のいずれか一方に本体より突出する回転軸を設け、他方に回転軸を収容する収容部を本体に設け、各々が回動可能に連結したベルト連結具において、第１部材と第２部材は回転軸が収容部から抜脱不能に一体成形し、第１部材と第２部材が回転軸の軸線方向への相対的な移動を規制する抑止部材を回転軸に配備したことによって、両部材間の隙間を抑止部材により無くすことができ、両部材ががたつくことがなく円滑な回動動作が行え、品質のよい止具に仕上げられる効果がある。
【００５１】
請求項２記載の発明は、請求項１記載の発明の効果に加え、抑止部材は、膨大頭部の下面と、収容部の内面との間に配したことによって、簡単な構造で引っ張りや捻れなどの外力に対し強固であり、破損し難い効果がある。
【００５２】
請求項３記載の発明は、請求項１記載の発明の効果に加え、抑止部材は、一部にスリットを備えた軸受部に形成したことによって、抑止部材としての軸受部を収容部に存在する回転軸、または部材間に存在する回転軸に対し、簡単かつ的確に嵌装でき両部材間のがたつきを防ぎ、安定したベルト連結具が得られる効果がある。
【００５３】
請求項４記載の発明は、請求項２記載の発明の効果に加え、抑止部材は回り止め突起を備え、回り止め突起は収容部に設けた溝部に嵌合可能に形成したことによって、抑止部材の回転軸への取り付けが安定し、抑止部材の取り付けが容易に行える効果がある。
【００５４】
請求項５記載の発明は、請求項１または２記載の発明の効果に加え、収容部に配された露呈する回転軸を隠蔽するカバー部材を収容部に嵌着したことによって、回転軸や抑止部材の破損や、ゴミの侵入を防ぎ回転軸の回動を阻害することを防止できる効果がある。
【００５５】
請求項６記載の発明は、請求項５記載の発明の効果に加え、収容部は、本体の表裏に開口する開口部を設け、開口部を一対のカバー部材によって封鎖したことによって、収容部内の回転軸を二方向から確実に隠蔽でき、かつ体裁のよい止具が得られる効果がある。
【００５６】
請求項７記載の発明は、請求項３、４または５記載の発明の効果に加え、抑止部材とカバー部材とは一体成形で連結したことによって、部品点数の削減ができ、製造コストの低減や組立て効率の向上が図れる効果がある。
【００５７】
請求項８記載の発明は、請求項７記載の発明の効果に加え、抑止部材は、先端が半円形を呈する軸受部に形成したことによって、抑止部材としての軸受部を収容部に存在する回転軸に対し、前後から簡単かつ的確に挟持でき両部材間のがたつきを防ぎ、安定したベルト連結具が得られる効果がある。
【００５８】
請求項９記載の発明は、請求項６記載の発明の効果に加え、一対のカバー部材は、同一形状で形成したことによって、カバー部材の在庫管理および組付け作業が容易に行える効果がある。
【００５９】
請求項１０記載の発明は、請求項５記載の発明の効果に加え、ベルト取付部はベルト取付孔を有し、収容部はベルト取付孔と連通する凹部を設け、凹部に嵌入可能なカバー部材を備え、カバー部材の内部に収容部において露呈する回転軸を収容したことによって、収容部内の回転軸を一方向から確実に隠蔽でき、しかも体裁のよい止具が得られる効果があるなど、この発明が奏する効果はきわめて顕著である。
【図面の簡単な説明】
【図１】    ベルト連結具の第１実施例の雌雄形バックルの斜視図である。
【図２】    同上ベルト連結具の一部破断した正面図である。
【図３】    同上ベルト連結具の第１部材と第２部材の斜視図である。
【図４】    同上ベルト連結具のカバー部材と抑止部材とが一体成形された斜視図である。
【図５】    同上ベルト連結具の第１部材の横断面図である。
【図６】    同上ベルト連結具の第１部材の縦断面図である。
【図７】    ベルト連結具の第２実施例の抑止部材の斜視図である。
【図８】    同上ベルト連結具のカバー部材の斜視図である。
【図９】    同上ベルト連結具のカバー部材を除去した要部の正面図である。
【図１０】    同上ベルト連結具の図９におけるＡ−Ａ断面図である。
【図１１】    ベルト連結具の第３実施例の抑止部材の斜視図である。
【図１２】    同上ベルト連結具のカバー部材の斜視図である。
【図１３】    同上ベルト連結具のカバー部材の横断面図である。
【図１４】    同上ベルト連結具の一部を破断した要部の正面図である。
【図１５】    ベルト連結具の第４実施例のなす環の正面図である。
【図１６】    ベルト連結具の第５実施例のベルト調節具の背面図である。
【図１７】    ベルト連結具の第６実施例のベルト調節具の背面図である。
【図１８】    公知のベルト連結具の雌雄形バックルの正面図である。
【図１９】    他の公知のベルト連結具のなす環の正面図である。
【符号の説明】
１  第１部材
２  第２部材
３  第３部材
５  雌雄形バックル
６  なす環
７  ベルト調節具
８  本体（第１部材）
９  本体（第２部材）
１０  ベルト取付部
１１  ベルト取付孔
１３  収容部
１４  開口部
１５  溝部
１７  凹部
１９  コア用孔部
２６  カバー部材
３４  抑止部材
３７  回り止め突起
４０  回転軸
４１  首部
４２  膨大頭部
４３  基部
４４  厚肉部
【図１】
0003844993.tif 000002
【図２】
0003844993.tif 000003
【図３】
0003844993.tif 000004
【図４】
0003844993.tif 000005
【図５】
0003844993.tif 000006
【図６】
0003844993.tif 000007
【図７】
0003844993.tif 000008
【図８】
0003844993.tif 000009
【図９】
0003844993.tif 000010
【図１０】
0003844993.tif 000011
【図１１】
0003844993.tif 000012
【図１２】
0003844993.tif 000013
【図１３】
0003844993.tif 000014
【図１４】
0003844993.tif 000015
【図１５】
0003844993.tif 000016
【図１６】
0003844993.tif 000017
【図１７】
0003844993.tif 000018
【図１８】
0003844993.tif 000019
【図１９】
0003844993.tif 000020